(57)【特許請求の範囲】
【請求項１】
マルチアンテナ送信機を介して、データをｃｌｕｓｔｅｒｅｄ  ＤＦＴ−Ｓ−ＯＦＤＭを用いて送信する方法であって、
Ａ．複数のデータ・ストリームを獲得するステップであって、各データ・ストリームは、複数のスロットのデータ・ブロックを含む、ステップと、
Ｂ．各データ・ブロックをグループ化し、マッピングするステップであって、
各データ・ストリーム内の同一スロットのデータ・ブロックは、アンテナの個数に従ってグループ化され、
各グループは、それぞれ前記アンテナのうちの１つにマッピングされ、
同一グループ内の異なるデータ・ブロックは、それぞれ異なるサブバンドにマッピングされ、
まったく同一ではないグループ化およびマッピングの様式が、異なるスロットのデータ・ブロックについて採用され、
前記グループ化およびマッピングの様式は、
データ・ブロック・グループ化の様式、
グループからアンテナへのマッピングの様式、および
サブバンド・マッピングの様式を含む、ステップと、
Ｃ．前記複数のスロットのデータ・ブロックの前記グループをそれぞれ前記アンテナを介して送信するステップと、
を含み、
前記データ・ストリームの数が前記アンテナの個数と同一又は該アンテナの個数よりも多く、
前記グループ化し、マッピングするステップは、異なるスロットのデータ・ブロックについて、
同一のグループからアンテナへのマッピングの様式、及び、
異なるサブバンド・マッピングの様式を採用する、
方法。
【請求項２】
複数のデータ・ストリームを獲得するデータ・ブロック獲得デバイスであって、各データ・ストリームは、複数のスロットのデータ・ブロックを含む、データ・ブロック獲得デバイスと、
各データ・ブロックをグループ化し、マッピングするグループ化およびマッピング・デバイスであって、
各データ・ストリーム内の同一スロットのデータ・ブロックは、アンテナの個数に従ってグループ化され、
各グループは、それぞれ前記アンテナのうちの１つにマッピングされ、
同一グループ内の異なるデータ・ブロックは、それぞれ異なるサブバンドにマッピングされ、
まったく同一ではないグループ化およびマッピングの様式が、異なるスロットのデータ・ブロックについて採用され、
前記グループ化およびマッピングの様式は、
データ・ブロック・グループ化の様式、
グループからアンテナへのマッピングの様式、および
サブバンド・マッピングの様式を含む、
グループ化およびマッピング・デバイスと、
を含み、前記複数のスロットのデータ・ブロックの前記グループは、それぞれ前記アンテナを介して、ｃｌｕｓｔｅｒｅｄ  ＤＦＴ−Ｓ−ＯＦＤＭを用いて送信され、
前記データ・ストリームの数が前記アンテナの個数と同一又は該アンテナの個数よりも多く、
前記グループ化およびマッピング・デバイスは、異なるスロットのデータ・ブロックについて、
同一のグループからアンテナへのマッピングの様式、及び、
異なるサブバンド・マッピングの様式を採用する、
マルチアンテナ送信機。
【請求項３】
前記グループ化およびマッピング・デバイスは、同一スロットの各データ・ブロックをそれぞれ異なるサブバンドにマッピングする、請求項２に記載の送信機。
【請求項４】
すべてのサブバンドは、不連続である、請求項２に記載の送信機。
【請求項５】
前記グループ化およびマッピング・デバイスは、異なるスロットのデータ・ブロックについて同一のデータ・ブロック・グループ化の様式を採用する、請求項２に記載の送信機。
【請求項６】
２つのアンテナを含む、請求項２に記載の送信機。
【請求項７】
前記データ・ブロック獲得デバイスは、それぞれが複数のスロットのデータ・ブロックを含む２つのデータ・ストリームを獲得するのに利用され、前記グループ化およびマッピング・デバイスは、同一スロットの２つのデータ・ブロックをそれぞれ前記２つのアンテナおよびそれぞれ異なるサブバンドにマッピングする、請求項６に記載の送信機。
【請求項８】
前記２つのデータ・ストリームは、それぞれ２つのスロットのデータ・ブロックを含む、請求項７に記載の送信機。
【請求項９】
前記グループ化およびマッピング・デバイスは、前記２つのデータ・ストリーム内の前記データ・ブロックをそれぞれ前記２つのアンテナにマッピングし、同一データ・ストリーム内の前記２つのスロットの前記データ・ブロックをそれぞれ異なるサブバンドにマッピングする、請求項８に記載の送信機。
【請求項１０】
前記グループ化およびマッピング・デバイスは、同一データ・ストリーム内の前記２つのスロットの前記データ・ブロックをそれぞれ前記２つのアンテナにマッピングする、請求項８に記載の送信機。
【請求項１１】
前記データ・ブロック獲得デバイスは、それぞれが複数のスロットのデータ・ブロックを含む４つのデータ・ストリームを獲得するのに利用され、前記グループ化およびマッピング・デバイスは、同一スロットの４つのデータ・ブロックを、それぞれが２つのデータ・ブロックを含む２つのグループにグループ化し、データ・ブロックの前記２つのグループをそれぞれ前記２つのアンテナのうちの１つにマッピングし、同一グループ内の前記２つのデータ・ブロックをそれぞれ異なるサブバンドにマッピングする、請求項６に記載の送信機。
【請求項１２】
前記グループ化およびマッピング・デバイスは、異なるスロットの前記データ・ブロックについて同一のデータ・ブロック・グループ化の様式を採用する、請求項１１に記載の送信機。
【請求項１３】
前記グループ化およびマッピング・デバイスは、異なるスロットの前記データ・ブロックについて同一のデータ・ブロック・グループ化の様式、同一のグループからアンテナへのマッピングの様式、および異なるサブバンド・マッピングの様式を採用する、請求項１１に記載の送信機。
【発明の詳細な説明】
【技術分野】
【０００１】
本発明は、全般的には通信テクノロジに関し、より具体的には、ＤＦＴ−Ｓ−ＯＦＤＭテクノロジに関する。
【背景技術】
【０００２】
Ｃｌｕｓｔｅｒｅｄ  ｄｉｓｃｒｅｔｅ  Ｆｏｕｒｉｅｒ  ｔｒａｎｓｆｏｒｍ−ｓｐｒｅａｄ  ｏｒｔｈｏｇｏｎａｌ  ｆｒｅｑｕｅｎｃｙ−ｄｉｖｉｓｉｏｎ  ｍｕｌｔｉｐｌｅｘｉｎｇ（以下では、略してｃｌｕｓｔｅｒｅｄ  ＤＦＴ−Ｓ−ＯＦＤＭと表す）は、ＬＴＥ−Ａｄｖａｎｃｅｄのアップリンク多元接続解決策として受け入れられてきた。ｃｌｕｓｔｅｒｅｄ  ＤＦＴ−Ｓ−ＯＦＤＭでは、ＤＦＴブロックの出力が、少数のクラスタに分割され、データの各クラスタは、別々にサブバンドにマッピングされる。この不連続無線帯割当が、ｃｌｕｓｔｅｒｅｄ  ＤＦＴ−Ｓ−ＯＦＤＭをＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）から区別する。この特徴は、より多くの周波数ダイバーシティ利得を提供するが、ＰＡＰＲ（Ｐｅａｋ−ｔｏ−Ａｖｅｒａｇｅ  Ｐｏｗｅｒ  Ｒａｔｉｏ）の増加という不利益を有する。
【０００３】
図１に、ｃｌｕｓｔｅｒｅｄ  ＤＦＴ−Ｓ−ＯＦＤＭを使用する従来技術の送信機の構造を示す。図１に示されているように、データがターボ符号化され、変調され、２Ｍ点離散フーリエ変換された後に、ＤＦＴブロックの出力は、２つのクラスタに分割される。データ・ブロックの２つのクラスタは、それぞれサブバンド１およびサブバンド２にマッピングされ、最終的に１つのアンテナを介して送信される。図１に示された送信機解決策を、以下では従来技術解決策１と呼ぶ。上で説明したように、この解決策の不利益は、その高いＰＡＰＲにある。
【０００４】
ＤＦＴ−Ｓ−ＯＦＤＭで使用されるグループ化方法が提案されてきた。この方法では、変調されたデータの２つのクラスタ化されたものが、２つのアンテナに割り当てられ、データの各クラスタは、アンテナの１つを介して送信され、これによって、ＰＡＰＲを軽減する。図２に、この方法による送信機の構造を示す。図２に示されているように、データは、ターボ符号化され、変調された後に２つのクラスタに分割され、データの２つのクラスタは、別々に離散フーリエ変換される。データの第１クラスタは、サブバンド１にマッピングされ、アンテナ１を介して送信され、データの第２クラスタは、サブバンド２にマッピングされ、アンテナ２を介して送信される。この方法では、各送信アンテナは、データの１つのクラスタに対応し、これによって、ＰＡＰＲを軽減する。しかし、周波数ダイバーシティ利得の一部が、失われる。図２に示された送信機解決策を、下では従来技術解決策２と呼ぶ。
【発明の概要】
【発明が解決しようとする課題】
【０００５】
本発明は、従来技術の問題を解決するためにマルチアンテナ送信機で使用されるデータ送信解決策を提供する。この解決策は、ｃｌｕｓｔｅｒｅｄ  ＤＦＴ−Ｓ−ＯＦＤＭでの使用に特に適する。
【課題を解決するための手段】
【０００６】
本発明の第１の態様によれば、マルチアンテナ送信機を介してデータを送信する方法が提供される。この方法は、Ａ．複数のデータ・ストリームを獲得するステップであって、各データ・ストリームは、複数のスロットのデータ・ブロックを含む、ステップと、Ｂ．各データ・ブロックをグループ化し、マッピングするステップであって、各データ・ストリーム内の同一スロットのデータ・ブロックは、アンテナの個数に従ってグループ化され、各グループは、それぞれアンテナのうちの１つにマッピングされ、同一グループ内の異なるデータ・ブロックは、それぞれ異なるサブバンドにマッピングされ、まったく同一ではないグループ化およびマッピングの様式が、異なるスロットのデータ・ブロックについて採用され、グループ化およびマッピングの様式は、データ・ブロック・グループ化の様式、グループからアンテナへのマッピングの様式、およびサブバンド・マッピングの様式を含む、ステップと、Ｃ．複数のスロットのデータ・ブロックのグループをそれぞれアンテナを介して送信するステップとを含む。
【０００７】
本発明の第２の態様によれば、マルチアンテナ送信機が提供される。この送信機は、複数のデータ・ストリームを獲得するデータ・ブロック獲得デバイスであって、各データ・ストリームは、複数のスロットのデータ・ブロックを含む、データ・ブロック獲得デバイスと、各データ・ブロックをグループ化し、マッピングするグループ化およびマッピング・デバイスであって、各データ・ストリーム内の同一スロットのデータ・ブロックは、アンテナの個数に従ってグループ化され、各グループは、それぞれアンテナのうちの１つにマッピングされ、同一グループ内の異なるデータ・ブロックは、それぞれ異なるサブバンドにマッピングされ、まったく同一ではないグループ化およびマッピングの様式が、異なるスロットのデータ・ブロックについて採用され、グループ化およびマッピングの様式は、データ・ブロック・グループ化の様式、グループからアンテナへのマッピングの様式、およびサブバンド・マッピングの様式を含む、グループ化およびマッピング・デバイスとを含む。複数のスロットのデータ・ブロックのグループは、それぞれアンテナを介して送信される。
【０００８】
本発明の技術的解決策を用いると、ダイバーシティ利得を保証しながら、データ送信中のＰＡＰＲの低減を達成することができる。
【０００９】
本発明の他の特徴、目的、および利益は、添付図面を参照して、非限定的な実施形態の次の詳細な説明を読んだ後により明白になるであろう。
【図面の簡単な説明】
【００１０】
【図１】ｃｌｕｓｔｅｒｅｄ  ＤＦＴ−Ｓ−ＯＦＤＭを使用する従来技術の送信機を示す構造ブロック図である。
【図２】マルチアンテナｃｌｕｓｔｅｒｅｄ  ＤＦＴ−Ｓ−ＯＦＤＭを使用する従来技術の送信機を示す構造ブロック図である。
【図３】本発明の実施形態によるマルチアンテナ送信機を介してデータを送信する方法を示す流れ図である。
【図４】本発明の実施形態によるマルチアンテナ送信機を示す構造ブロック図である。
【図５】本発明の実施形態による送信機内のデータ・ブロック獲得デバイスを示す構造図である。
【図６】本発明の実施形態による送信機内のデータ・ブロック獲得デバイスを示す構造図である。
【図７】本発明の実施形態によるマルチアンテナ送信機を示す構造図である。
【図８】本発明の実施形態によるマルチアンテナ送信機を示す構造図である。
【図９】複数の送信機解決策のＰＡＰＲを示すシミュレーション・プロットである。
【図１０】複数の送信機解決策のＢＬＥＲを示すシミュレーション・プロットである。
【発明を実施するための形態】
【００１１】
図面では、同一のまたは同様の符号が、同一のまたは同様のステップ特徴またはデバイス（モジュール）を表す。
【００１２】
図３は、本発明の実施形態によるマルチアンテナ送信機を介してデータを送信する方法を示す流れ図である。
【００１３】
第１に、ステップＳ１では、複数のデータ・ストリームを獲得し、ここで、各データ・ストリームは、複数のスロットのデータ・ブロックを含む。
【００１４】
第２に、ステップＳ２では、各データ・ブロックをグループ化し、マッピングし、ここで、各データ・ストリーム内の同一スロットのデータ・ブロックは、アンテナの個数に従ってグループ化され、各グループは、それぞれ複数のアンテナのうちの１つにマッピングされ、同一グループ内の異なるデータ・ブロックは、それぞれ異なるサブバンドにマッピングされ、まったく同一ではないグループ化およびマッピングの様式が、異なるスロットのデータ・ブロックについて採用され、グループ化およびマッピングの様式は、データ・ブロック・グループ化の様式、グループからアンテナへのマッピングの様式、およびサブバンド・マッピングの様式を含む。
【００１５】
最後に、ステップＳ３では、複数のスロットのデータ・ブロックのグループが、それぞれ複数のアンテナを介して送信される。
【００１６】
本発明のマルチアンテナ送信機を介してデータを送信する方法の実施形態によれば、データ送信は、ｃｌｕｓｔｅｒｅｄ  ＤＦＴ−Ｓ−ＯＦＤＭを使用する。
【００１７】
本発明のマルチアンテナ送信機を介してデータを送信する方法の実施形態によれば、ステップＳ２で、同一スロットの各データ・ブロックは、それぞれ異なるサブバンドにマッピングされる。
【００１８】
本発明のマルチアンテナ送信機を介してデータを送信する方法の実施形態によれば、すべてのサブバンドは、不連続である。
【００１９】
本発明のマルチアンテナ送信機を介してデータを送信する方法の実施形態によれば、ステップＳ２で、同一のデータ・ブロック・グループ化の様式および異なるグループからアンテナへのマッピングの様式が、異なるスロットのデータ・ブロックについて採用される。
【００２０】
本発明のマルチアンテナ送信機を介してデータを送信する方法の実施形態によれば、ステップＳ２で、同一のブロック・グループ化の様式、同一のグループからアンテナへのマッピングの様式、および異なるサブバンド・マッピングの様式が、異なるスロットのデータ・ブロックについて採用される。
【００２１】
本発明のマルチアンテナ送信機を介してデータを送信する方法の実施形態によれば、ステップＳ１で、獲得される複数のデータ・ストリームは、それぞれ２つのスロットのデータ・ブロックを含む。
【００２２】
本発明のマルチアンテナ送信機を介してデータを送信する方法の実施形態によれば、データを送信するこの方法は、アップリンク・データ送信に利用される。
【００２３】
本発明のマルチアンテナ送信機を介してデータを送信する方法の実施形態によれば、マルチアンテナ送信機は、２つのアンテナを含む。
【００２４】
本発明のマルチアンテナ送信機を介してデータを送信する方法の実施形態によれば、ステップＳ１で、それぞれが複数のスロットのデータ・ブロックを含む２つのデータ・ストリームが獲得され、ステップＳ２で、同一スロットの２つのデータ・ブロックが、それぞれ２つのアンテナおよびそれぞれ異なるサブバンドにマッピングされる。
【００２５】
本発明のマルチアンテナ送信機を介してデータを送信する方法の実施形態によれば、ステップＳ１で獲得される２つのデータ・ストリームは、それぞれ２つのスロットのデータ・ブロックを含む。
【００２６】
本発明のマルチアンテナ送信機を介してデータを送信する方法の実施形態によれば、ステップＳ２で、ステップＳ１で獲得された２つのデータ・ストリーム内のデータ・ブロックは、それぞれ２つのアンテナのうちの１つにマッピングされ、同一データ・ストリーム内の２つのスロットのデータ・ブロックは、それぞれ異なるサブバンドにマッピングされる。
【００２７】
本発明のマルチアンテナ送信機を介してデータを送信する方法の実施形態によれば、ステップＳ２で、同一データ・ストリーム内の２つのスロットのデータ・ブロックは、それぞれ２つのアンテナのうちの１つにマッピングされる。
【００２８】
本発明のマルチアンテナ送信機を介してデータを送信する方法の実施形態によれば、ステップＳ１で、それぞれが複数のスロットのデータ・ブロックを含む４つのデータ・ストリームが獲得され、ステップＳ２で、同一スロットの４つのデータ・ブロックが、それぞれが２つのデータ・ブロックを含む２つのグループにグループ化され、データ・ブロックの２つのグループは、それぞれ２つのアンテナのうちの１つにマッピングされ、同一グループ内の２つのデータ・ブロックは、それぞれ異なるサブバンドにマッピングされる。
【００２９】
本発明のマルチアンテナ送信機を介してデータを送信する方法の実施形態によれば、ステップＳ２で、同一のデータ・ブロック・グループ化の様式および異なるグループからアンテナへのマッピングの様式が、異なるスロットのデータ・ブロックについて採用される。
【００３０】
本発明のマルチアンテナ送信機を介してデータを送信する方法の実施形態によれば、ステップＳ２で、同一のデータ・ブロック・グループ化の様式、同一のグループからアンテナへのマッピングの様式、および異なるサブバンド・マッピングの様式が、異なるスロットのデータ・ブロックについて採用される。
【００３１】
本発明のマルチアンテナ送信機を介してデータを送信する方法の実施形態によれば、ステップＳ１で、獲得される複数のデータ・ストリームは、それぞれ別々のＤＦＴを介して入手される。
【００３２】
本発明のマルチアンテナ送信機を介してデータを送信する方法の実施形態によれば、ステップＳ１で、獲得される複数のデータ・ストリームは、同一のＤＦＴの後に得られたデータを分割することを介して入手される。
【００３３】
本発明の説明を、この後で、特定の送信機構造に関連して提供される。
【００３４】
図４は、本発明の実施形態によるマルチアンテナ送信機を示す構造ブロック図である。図４に示されているように、この実施形態の送信機は、データ・ブロック獲得デバイス１０、グループ化およびマッピング・デバイス３０、ならびに複数のアンテナ５０−１から５０−ｍを含む。
【００３５】
データ・ブロック獲得デバイス１０は、データ・ストリーム２０−１から２０−ｎなどの複数のデータ・ストリームを獲得するのに利用される。各データ・ストリームは、複数のスロットのデータ・ブロックを含む。たとえば、データ・ストリーム２０−１は、ｋ個のスロットのデータ・ブロックを含み、これらのデータ・ブロックは、それぞれ２０−１−１から２０−１−ｋとして図示されている。データ・ストリーム２０−ｎは、ｋ個のスロットのデータ・ブロックを含み、これらのデータ・ブロックは、それぞれ２０−ｎ−１から２０−ｎ−ｋとして図示されている。当業者は、本発明が、各データ・ストリームが同一個数のスロットのデータ・ブロックを含む場合に限定されないことを理解するであろう。
【００３６】
グループ化およびマッピング・デバイス３０は、各データ・ブロックをグループ化し、マッピングするのに利用される。各データ・ストリーム内の同一スロットのデータ・ブロックは、アンテナの個数に従って複数のグループにグループ化され、各グループは、それぞれアンテナ５０−１から５０−ｍのうちの１つにマッピングされる。同一グループ内の異なるデータ・ブロックは、それぞれ異なるサブバンドにマッピングされる。まったく同一ではないグループ化およびマッピングの様式が、異なるスロットのデータ・ブロックについて採用され、グループ化およびマッピングの様式は、データ・ブロック・グループ化の様式、グループからアンテナへのマッピングの様式、およびサブバンド・マッピングの様式を含む。
【００３７】
通常、データ・ストリームの量ｎは、アンテナの量ｍ以上である。
【００３８】
好ましくは、この実施形態の送信機は、ＯＦＤＭを使用する。したがって、送信機は、さらに、それぞれｍ個のアンテナに対応するｍ個のＩＦＦＴ（逆高速フーリエ変換）モジュールを含む。ＩＦＦＴモジュールは、グループ化およびマッピング・デバイス３０のグループ化およびマッピングの様式に従って、対応するデータをアンテナ５０−１から５０−ｍに変調するのに利用される。図４は、ｍ個のＩＦＦＴモジュール４０−１から４０−ｍを示す。この図に示された符号３５−１−１から３５−１−ｉは、ｉ個のサブバンドを表し、ｉ個のデータ・ブロックが、それぞれアンテナ５０−１のｉ個のサブバンドにマッピングされる。同様に、この図に示された符号３５−ｍ−１から３５−ｍ−ｊは、ｊ個のサブバンドを表し、ｊ個のデータ・ブロックが、それぞれアンテナ５０−ｍのｊ個のサブバンドにマッピングされる。通常、サブバンド３５−１−１から３５−１−ｉは、互いに不連続である。同様に、サブバンド３５−ｍ−１から３５−ｍ−ｊも、互いに不連続である。より好ましくは、すべてのサブバンドが、互いに不連続である。
【００３９】
最後に、ＩＦＦＴモジュールによって変換された後に、上記のｎ個のデータ・ストリーム内の各スロットのデータ・ブロックは、アンテナ５０−１から５０−ｍを介して送信される。
【００４０】
本発明の実施形態によれば、マルチアンテナ送信機は、２つのアンテナを含む。この送信機は、ＬＴＥ−Ａシステムのユーザ機器での使用すなわち、アップリンク・データ送信に特に適する。当業者は、本発明によるマルチアンテナ送信機が、２つのアンテナを有する送信機に限定されないことを理解するであろう。
【００４１】
本発明の実施形態によれば、送信機のデータ・ブロック獲得デバイス１０によって獲得される各データ・ストリームは、ＯＦＤＭシステム内の１サブフレームに対応し、各サブフレームは、２つのスロットを含む。すなわち、各データ・ストリームは、２つのスロットのデータ・ブロックを含む。
【００４２】
図５は、本発明の実施形態による送信機内のデータ・ブロック獲得デバイスを示す構造図である。図５に示されているように、送信機のデータ・ブロック獲得デバイス１０は、信号変調モジュール１３および複数のＤＦＴモジュール１５−１から１５−ｎを含む。信号変調モジュール１３によって変調されたデータは、ｎ個のパスに分割され、データの各パスは、ＤＦＴモジュールによって変換され、データ・ストリーム２０−１から２０−ｎをもたらす。当業者は、ソース符号化モジュールまたは組み合わされたソース／チャネル符号化モジュールを、信号変調モジュール１３の前に含めることができ、その符号化モジュール内で使用される符号を、ターボ符号とすることができることを理解するであろう。たとえば、いくつかのＬＴＥ−Ａ提案によれば、ターボ符号化モジュールが、送信機内で信号変調モジュールの前で使用される。
【００４３】
図６は、本発明の実施形態による送信機内のデータ・ブロック獲得デバイスを示す構造図である。図６に示されているように、送信機のデータ・ブロック獲得デバイス１０は、信号変調モジュール１３およびＤＦＴモジュール１５を含む。信号変調モジュール１３によって変調されたデータは、ＤＦＴモジュール１５に入力される。離散フーリエ変換された後のデータは、ｎ個のパスに分割され、それぞれデータ・ストリーム２０−１から２０−ｎをもたらす。当業者は、ソース符号化モジュールまたは組み合わされたソース／チャネル符号化モジュールを、信号変調モジュール１３の前に含めることができ、その符号化モジュール内で使用される符号を、ターボ符号とすることができることを理解するであろう。たとえば、いくつかのＬＴＥ−Ａ提案によれば、ターボ符号化モジュールが、送信機内で信号変調モジュールの前で使用される。
【００４４】
本発明の送信機の実施形態によれば、送信機は、２つのアンテナを含み、データ獲得デバイスは、２つのデータ・ストリームを出力する。図７は、この実施形態の送信機を示す構造図である。図７に示されているように、データ・ブロック獲得デバイス１０は、２つのＤＦＴモジュール１５−１および１５−２を含む。２つのデータ・ストリーム２０−１および２０−２が、ＤＦＴを介して入手され、ここで、データ・ストリーム２０−１は、２つのスロットのデータ・ブロック２０−１−１および２０−１−２を含み、データ・ストリーム２０−２は、２つのスロットのデータ・ブロック２０−２−１および２０−２−２を含む。４つのデータ・ブロックは、グループ化およびマッピング・デバイス３０によってグループ化され、マッピングされ、ＩＦＦＴモジュール４０−１および４０−２によってアンテナ５０−１および５０−２の異なるサブバンドに変調され、その後、送信される。アンテナ５０−１上で占められるサブバンドは、サブバンド３５−１−１および３５−１−２を含み、アンテナ５０−２上で占められるサブバンドは、サブバンド３５−２−１および３５−２−２を含む。さらに、サブバンド３５−１−１および３５−２−１は、２つのアンテナに対応する同一のサブバンドであり、サブバンド３５−１−２および３５−２−２も、２つのアンテナに対応する同一のサブバンドである。
【００４５】
グループ化およびマッピング・デバイス３０は、４つのデータ・ブロックについてさまざまなグループ化およびマッピングの様式を採用することができる。各スロットは、２つのデータ・ブロックだけを含むので、同一スロットの２つのデータ・ブロックは、それぞれが１つのデータ・ブロックを有する２つのグループに自然に分割される。同一のデータ・ブロック・グループ化の様式が、結果として、異なるスロットのデータ・ブロックについて採用される。
【００４６】
第１のマッピングの様式では、グループ化およびマッピング・デバイス３０は、同一スロットの異なるデータ・ブロックを異なるサブバンドにマッピングし、異なるスロットのデータ・ブロックについて同一のグループからアンテナへのマッピングの様式を採用する。たとえば、第１スロットでは、データ・ブロック２０−１−１が、アンテナ５０−１上のサブバンド３５−１−１にマッピングされ、データ・ブロック２０−２−１が、アンテナ５０−２上のサブバンド３５−２−２にマッピングされ、第２スロットでは、データ・ブロック２０−１−２が、アンテナ５０−１上のサブバンド３５−１−２にマッピングされ、データ・ブロック２０−２−２が、アンテナ５０−２上のサブバンド３５−２−１にマッピングされる。この様式では、データ・ストリーム内の異なるスロットのデータ・ブロックが、異なるサブバンドにマッピングされ、同一のアンテナを介して送信され、これによって、周波数ダイバーシティ利得が達成される。２つのデータ・ストリーム内のデータは、アンテナのうちの１つを介して送信され、これは、各アンテナのＰＡＰＲを軽減する。当業者は、この様式が、異なるデータ・ストリームが同一サイズのリソース・ブロックを占める場合により適することを理解するであろう。
【００４７】
第２のマッピングの様式では、グループ化およびマッピング・デバイス３０は、同一スロットの異なるデータ・ブロックを異なるサブバンドにマッピングし、異なるスロットのデータについて異なるグループからアンテナへのマッピングの様式を採用する。たとえば、第１スロットでは、データ・ブロック２０−１−１が、アンテナ５０−１上のサブバンド３５−１−１にマッピングされ、データ・ブロック２０−２−１が、アンテナ５０−２上のサブバンド３５−２−２にマッピングされ、第２スロットでは、データ・ブロック２０−１−２が、アンテナ５０−２上のサブバンド３５−２−１にマッピングされ、データ・ブロック２０−２−２が、アンテナ５０−１上のサブバンド３５−１−２にマッピングされる。この様式では、データ・ストリーム内の異なるスロットのデータ・ブロックが、同一のサブバンドにマッピングされるが、異なるアンテナを介して送信され、これによって、空間ダイバーシティ利得が達成される。２つのアンテナは、それぞれ２つのデータ・ストリーム内のデータの一部を送信し、これは、各アンテナのＰＡＰＲを軽減する。
【００４８】
この実施形態では、２つのアンテナ５０−１および５０−２上で占められる帯域リソースは、同一である。当業者は、２つのアンテナ上で占められる帯域リソースを、異なるものにすることができる、すなわち、サブバンド３５−１−１および３５−１−２がサブバンド３５−２−１および３５−２−２と異なることを理解するであろう。そのような状況では、グループ化およびマッピング・デバイス３０は、より柔軟なデータからサブバンドへのマッピングを採用することができる。
【００４９】
本発明の送信機の実施形態によれば、送信機は、２つのアンテナを含み、データ獲得デバイスは、４つのデータ・ストリームを出力する。図８は、この実施形態の送信機を示す構造図である。図８に示されているように、データ・ブロック獲得デバイス１０は、４つのＤＦＴモジュール１５−１、１５−２、１５−３、および１５−４を含む。データ・ストリーム２０−１、２０−２、２０−３、および２０−４は、ＤＦＴを介して入手される。データ・ストリーム２０−１は、２つのスロットのデータ・ブロック２０−１−１および２０−１−２を含み、データ・ストリーム２０−２は、２つのスロットのデータ・ブロック２０−２−１および２０−２−２を含み、データ・ストリーム２０−３は、２つのスロットのデータ・ブロック２０−３−１および２０−３−２を含み、データ・ストリーム２０−４は、２つのスロットのデータ・ブロック２０−４−１および２０−４−２を含む。８つのデータ・ブロックは、グループ化およびマッピング・デバイス３０によってグループ化され、マッピングされ、ＩＦＦＴモジュール４０−１および４０−２によってアンテナ５０−１および５０−２の異なるサブバンドに変調され、その後、送信される。アンテナ５０−１上で占められるサブバンドは、サブバンド３５−１−１、３５−１−２、３５−１−３、および３５−１−４を含み、アンテナ５０−２上で占められるサブバンドは、サブバンド３５−２−１、３５−２−２、３５−２−３、および３５−２−４を含む。さらに、サブバンド３５−１−１および３５−２−１は、２つのアンテナに対応する同一のサブバンドであり、サブバンド３５−１−２および３５−２−２は、２つのアンテナに対応する同一のサブバンドであり、サブバンド３５−１−３および３５−２−３ならびにサブバンド３５−１−４および３５−２−４もそうである。
【００５０】
グループ化およびマッピング・デバイス３０は、４つのデータ・ブロックについてさまざまなグループ化およびマッピングの様式を採用することができる。
【００５１】
各スロットは４つのデータ・ブロックを有するので、同一スロットの４つのデータ・ブロックを２つのグループにグループ化するさまざまなグループ化の様式がある。１つのグループ化の様式は、同一スロットの２つのグループのそれぞれが２つのデータ・ブロックを含むように設計される。たとえば、データ・ブロック２０−１−１および２０−２−１が、一方のグループにグループ化され、データ・ブロック２０−３−１および２０−４−１が、他方のグループにグループ化される。もう１つのグループ化の様式は、同一スロットの２つのグループが、それぞれ３つのデータ・ブロックおよび１つのデータ・ブロックを含むように設計される。たとえば、データ・ブロック２０−１−１、２０−２−１、およびデータ・ブロック２０−３−１が、一方のグループにグループ化され、データ・ブロック２０−４−１が、他方のグループにグループ化される。
【００５２】
異なるスロットのデータ・ブロックについて、同一のデータ・ブロック・グループ化の様式または異なるデータ・ブロック・グループ化の様式のいずれかを採用することができる。
【００５３】
第１のマッピングの様式では、グループ化およびマッピング・デバイス３０は、同一スロットの４つのデータ・ブロックを、それぞれが２つのデータ・ブロックを含む２つのグループにグループ化し、異なるスロットのデータ・ブロックについて同一のデータ・ブロック・グループ化の様式および同一のグループからアンテナへのマッピングの様式を採用する。たとえば、第１スロットでは、データ・ブロック２０−１−１および２０−２−１が、一方のグループにグループ化され、それぞれアンテナ５０−１上のサブバンド３５−１−１および３５−１−２にマッピングされ、データ・ブロック２０−３−１および２０−４−１が、他方のグループにグループ化され、それぞれアンテナ５０−２上のサブバンド３５−２−３および３５−２−４にマッピングされ、第２スロットでは、データ・ブロック２０−１−２および２０−２−２が、一方のグループにグループ化され、それぞれアンテナ５０−１上のサブバンド３５−１−３および３５−１−４にマッピングされ、データ・ブロック２０−３−２および２０−４−２が、他方のグループにグループ化され、それぞれアンテナ５０−２上のサブバンド３５−２−１および３５−２−２にマッピングされる。この様式で、データ・ストリーム内の異なるスロットのデータ・ブロックが、異なるサブバンドにマッピングされ、同一のアンテナを介して送信され、これによって、周波数ダイバーシティ利得を達成する。４つのデータ・ストリーム内のデータは、アンテナのうちの１つを介して送信され、これは、各アンテナのＰＡＰＲを軽減する。当業者は、この様式が、異なるデータ・ストリームが同一サイズのリソース・ブロックを占める場合により適することを理解するであろう。
【００５４】
第２のマッピングの様式では、グループ化およびマッピング・デバイス３０は、同一スロットの４つのデータ・ブロックをそれぞれが２つのデータ・ブロックを含む２つのグループにグループ化し、異なるスロットのデータ・ブロックについて同一のデータ・ブロック・グループ化の様式および異なるグループからアンテナへのマッピングの様式を採用する。たとえば、第１スロットでは、データ・ブロック２０−１−１および２０−２−１が、一方のグループにグループ化され、それぞれアンテナ５０−１上のサブバンド３５−１−１および３５−１−２にマッピングされ、データ・ブロック２０−３−１および２０−４−１が、他方のグループにグループ化され、それぞれアンテナ５０−２上のサブバンド３５−２−３および３５−２−４にマッピングされ、第２スロットでは、データ・ブロック２０−１−２および２０−２−２が、一方のグループにグループ化され、それぞれアンテナ５０−２上のサブバンド３５−２−２および３５−２−１にマッピングされ、データ・ブロック２０−３−２および２０−４−２が、他方のグループにグループ化され、それぞれアンテナ５０−１上のサブバンド３５−１−４および３５−１−３にマッピングされる。この様式では、データ・ストリーム内の異なるスロットのデータ・ブロックが、異なるサブバンドにマッピングされ、異なるアンテナを介して送信され、これによって、周波数ダイバーシティ利得および空間ダイバーシティ利得を達成する。２つのアンテナは、それぞれ４つのデータ・ストリーム内のデータの一部を送信し、これは、各アンテナのＰＡＰＲを軽減する。
【００５５】
この実施形態では、２つのアンテナ５０−１および５０−２上で占められる帯域リソースは、同一である。当業者は、２つのアンテナ上で占められる帯域リソースを異なるものにすることができる、すなわち、サブバンド３５−１−１、３５−１−２、３５−１−３、および３５−１−４がサブバンド３５−２−１、３５−２−２、３５−２−３、および３５−２−４と異なることを理解するであろう。そのような状況では、グループ化およびマッピング・デバイス３０は、より柔軟なデータからサブバンドへのマッピングを採用することができる。
【００５６】
本発明のマルチアンテナ送信機は、本発明のデータ送信方法を実施するのに特に適する。しかし、当業者は、本発明のデータ送信方法が、本発明で開示されるマルチアンテナ送信機による実施に限定されないことを理解するであろう。
【００５７】
図９は、従来技術解決策１および２ならびに図７に示された送信機解決策のＰＡＰＲのシミュレーション・プロットである。図７に示された１５−１と１５−２との両方が、Ｍ点ＤＦＴモジュールであり、データ獲得デバイス１０は、さらに、信号変調モジュールを含む。シミュレーション条件は、次の通りである。３つの解決策の各信号変調モジュールは、１６ＱＡＭ変調を採用し、２Ｍ点ＤＦＴモジュールが、従来技術解決策１に含まれ、２個のＭ点ＤＦＴモジュールが、従来技術解決策２と図７に示された解決策との両方に含まれ、Ｍの値は６０であり、３つの解決策の各ＩＦＦＴモジュールは、１０２４点変換を採用する。図９では、横座標が、ｄＢ単位のＰＡＰＲを表し、縦座標が、対応するＰＡＰＲに達するかこれを超える確率を表す。×印マーカーを接続する曲線は、従来技術解決策１の性能曲線であり、正方形マーカーを接続する曲線は、従来技術解決策２の性能曲線であり、円マーカーを接続する曲線は、図７に示された解決策の性能曲線である。このシミュレーション結果から、図７に示された解決策のＰＡＰＲ性能が、従来技術解決策２のＰＡＰＲ性能に近似し、従来技術解決策１のＰＡＰＲ性能よりよいことが観察される。
【００５８】
図１０は、従来技術解決策２ならびに図７に示された送信機解決策の第１および第２のグループ化およびマッピングの様式のＢＬＥＲのシミュレーション・プロットである。図７に示された１５−１と１５−２との両方が、Ｍ点ＤＦＴモジュールであり、データ獲得デバイス１０は、さらに、ターボ符号化モジュールおよび信号変調モジュールを含む。サブバンド３５−１−１および３５−２−１は、従来技術解決策１および２のサブバンド１に対応し、サブバンド３５−１−２および３５−２−２は、従来技術解決策１および２のサブバンド２に対応する。シミュレーション条件は、次を含む。ＯＦＤＭ信号の搬送波周波数は、２ＧＨｚであり、送信帯域幅は、１０ＭＨｚであり、１０２４点ＦＦＴが採用され、データ・ストリームの長さすなわち１サブフレームは、１ｍｓであり、１０個のリソース・ユニットが、各データ・ストリームに割り当てられ、ＤＦＴモジュールが、Ｍの値すなわち６０に従って判定され、信号変調モジュールは、１６ＱＡＭ変調を採用し、符号化モジュールは、１／２符号レートを有するターボ符号化を採用し、各データ・ストリームは、２８８０ビットであり、局所化されたマッピングが、サブバンド・マッピングについて採用され、２つのサブバンドは、６００個の副搬送波すなわち約６ＭＨｚだけ分離され、固定パラメータを用いる３ＧＰＰ  ＳＣＭＥ（Ｓｐａｃｅ  Ｃｈａｎｎｅｌ  Ｍｏｄｅｌ  Ｅｘｔｅｎｄｅｄ）が、チャネル・モデルとして採用され、シナリオは、ｕｒｂａｎ  ｍａｃｒｏ（ＮＬＯＳ）であり、アンテナは、送信機（移動局）の２つのアンテナが０．５波長の間隔を有し、受信機（基地局）の２つのアンテナが１０波長の間隔を有するように構成され、送信機の速度は、３０ｋｍｐｈにセットされ、チャネル推定は、完全なチャネル推定であり、ＳＮＲは、周波数領域での受信アンテナあたりの総受信電力対雑音電力比と定義される。図１０では、横座標が、ｄＢ単位のＳＮＲを表し、縦座標が、ＢＬＥＲを表す。図１０の各曲線は、ＢＬＥＲ対ＳＮＲ性能曲線である。×印マーカーを接続する曲線は、従来技術解決策２の性能曲線であり、円マーカーを接続する曲線は、図７に示された解決策の第１のグループ化およびマッピングの様式の性能曲線であり、正方形マーカーを接続する曲線は、図７に示された解決策の第２のグループ化およびマッピングの様式の性能曲線である。このシミュレーション結果から、図７に示された解決策のＢＬＥＲ性能が、従来技術解決策２のＢＬＥＲ性能よりよいことが観察される。
【００５９】
当業者は、本発明で言及されたデバイスのそれぞれを、ハードウェア・モジュールまたはソフトウェアの機能モジュールのいずれかによって、あるいはソフトウェア機能モジュールと一体化されたハードウェア・モジュールによってさえ、実施できることを理解するであろう。
【００６０】
本発明の送信機は、ｃｌｕｓｔｅｒｅｄ  ＤＦＴ−Ｓ−ＯＦＤＭでの使用、特にアップリンク・データ送信に適する可能性がある。
【００６１】
本発明の非限定的な実施形態を、上で説明した。しかし、本発明は、特定のシステム、機器、および特定のプロトコルに限定されない。さまざまな変形形態および修正形態を、添付の特許請求の範囲の範囲内で当業者が作ることができる。
【図１】
0005717722.tif 000002
【図２】
0005717722.tif 000003
【図３】
0005717722.tif 000004
【図４】
0005717722.tif 000005
【図５】
0005717722.tif 000006
【図６】
0005717722.tif 000007
【図７】
0005717722.tif 000008
【図８】
0005717722.tif 000009
【図９】
0005717722.tif 000010
【図１０】
0005717722.tif 000011